【事件の表示】
　特願２００２−１２０８０７「無線通信端末の着信制御装置および車内無線通信システム」拒絶査定不服審判事件〔平成１４年１１月２２日出願公開、特開２００２−３３５５８４〕について、次のとおり審決する。
【結　論】
　本件審判の請求は、成り立たない。
【理　由】
１．手続きの経緯・本願発明の要旨
　本願は、平成１１年９月２８日に出願した特願平１１−２７４３９３号の一部を平成１４年４日２３日に新たに特許出願としたものであって、その請求項１に係る発明は、その特許請求の範囲の請求項１に記載された事項により特定される次のとおりのものと認める。（以下、「本願発明」という。）
　
「無線通信端末へ着信が起こったこと、発信者電話番号があらかじめ登録されている特定の電話番号であるか否かを識別し、発信者電話番号があらかじめ登録されている特定の電話番号でない場合には、ハンズフリー装置がハンズフリー着信を実行するように制御し、発信者電話番号があらかじめ登録されている特定の電話番号である場合には、無線通信端末がハンドセット着信を実行するように制御することを特徴とする無線通信端末の着信制御装置。」
　
２．引用例
　原査定の拒絶の理由に引用された、特開平１１−１２７２３９号公報（以下、「引用例」という。）には、図面とともに次の記載がある。
　　
（イ）「【従来の技術】近年、情報通信機器の発達はめざましいものがあり、電話においても、携帯電話の普及が著しく、また、留守番電話機能や受話器を取らずに通話ができるハンズフリー通話機能が付加された高機能電話機が普及している。
【０００３】従来、ハンズフリー通話機能を有する電話機では、ハンドセット部とハンズフリー通話機能の切替は、スイッチボタンを押すことにより行っていた。
【０００４】
【発明が解決しようとする課題】しかし、電話がかかってきたときに手が放せない状況下では、着信者がスイッチボタンを押す動作ができない場合がある。特に、自動車を運転中にスイッチボタンを押さねばならないということは安全上問題がある。
【０００５】また、手が放せない状況下においては、通話が必要な相手だけを選んで電話を取る必要の生じる場合が多い。
【０００６】本発明は上記問題点にかんがみてなされたもので、通話が必要な相手を選択して、手を使わずにハンズフリー通話に切り替えることのできる音声応答電話機の提供を目的とする。」（段落【０００２】〜【０００６】第２頁第１欄第４６行〜第２欄第１６行）
　
（ロ）「【００２１】図１に示す音声応答電話機１は、電話回線に接続された音声処理部１０を備える。この音声処理部１０は、電話回線から送られてくる電気信号を音声信号に変換すると共に、送話音声信号を電話回線に出力するための電気信号に変換する機能を有する。この音声処理部１０にはスピーカーを備える音声出力部と、マイクを備える音声入力部１２が接続され、これらの音声出力部１１と音声入力部１２がハンズフリー部１３を構成している。また、受話器を備えるハンドセット部１４が音声処理部１０に接続されている。音声処理部１０には、これらのハンズフリー部１３とハンドセット部１４とを切り替えて電話回線に接続する図示しない切替スイッチを備えている。また、音声処理部１０は音声応答電話機１全体を制御する制御部１５に接続されている。この制御部１５には、ダイヤルボタンを備え、電話番号などを入力するキー部１６、メモリで構成される記憶部１７、液晶ディスプレーなどの表示部１８がそれぞれ接続されている。また、音声認識部１９が制御部１５と音声処理部１０に接続され、記憶部１７に保存されている登録音声信号と音声入力部１２から入力された音声信号とを比較し、比較結果を制御部１５へ渡すようになっている。
【００２２】この音声応答電話機１では、予め通話が必要な相手の電話番号をキー部１６から入力し、表示部１８で電話番号を確認して電子電話帳として機能する記憶部１７に相手先リストの形で登録電話番号として記憶させておく。」（段落【００２１】、【００２２】第３頁第３欄第３７行〜第４欄第１４行）
　
（ハ）「【００２５】一方、電話回線から送信があった場合には、次のように動作する。まず、相手先から電話がかかってくると、制御部１５は図示しないリンガを鳴動させて電話の着信を着信者に知らせる。応答者（着信者）の対応としてはハンドセット部１４の受話器を取るか、応答者の音声応答によってあるいは切替スイッチを押すことによりハンズフリーモードに切り替えるかの選択がある。ハンドセット部１４の受話器を取った場合には、通常の通話処理に移行して終了となる。
【００２６】応答者が受話器を取らない場合は、制御部１５は相手からの発信者電話番号が記憶部１７に格納されている相手先リストの登録電話番号に登録されているかを確認する。登録されていない場合は応答者の対応を待つ。登録されている場合には応答者の応答待ちになる。応答者の発声が音声入力部に入力された場合は、音声を音声処理部１０にてサンプリングし、音声認識部１９にてサンプリングされた音声データと記憶部１７に格納されている認識用音声テンプレートと比較を行う。音声認識結果が正しければ、切替スイッチを作動させてハンズフリー通話に移行する。
【００２７】次に、図２のフローチャートを参照しながら図１に示した音声応答電話機の第１の動作モードについて説明する。
【００２８】相手先から電話がかかってくると、制御部１５はステップ１０１にて着信中かどうかを確認する。着信中でなければ待機状態に移行する。着信中であれば、図示しないリンガが鳴動させる。この場合、同時に、表示部１８に相手の電話番号を表示するようにしても良い。これにより、応答者は電話がかかってきたことを知る。
【００２９】次に、ステップ１０２にて、応答者がハンドセット部１４の受話器を上げたかどうかを確認する。受話器を上げていれば、通常の通話処理に移行する。また、切替スイッチを押して直接ハンズフリー通話に切り替えることもできる。受話器を上げていなければ、ステップ１０３にて受信した発信者電話番号が登録されている登録電話番号のいずれかと一致するかどうかを確認する。登録されていれば、ステップ１０４にて応答者の音声による応答を待つ。登録されていなければ、始めに戻りリンガの鳴動を続け、応答者の対応を待つ。
【００３０】応答者が手が放せない状態であれば、応答者は予め決められた応答音声を発声して音声入力部１２へ応答する。この音声入力があると、ステップ１０５にて音声認識処理を行う。音声認識処理では、音声入力部１２から入力された応答音声信号は、音声処理部１０でサンプリングされ、音声認識部１９ではサンプリングされた音声データと記憶部１７に記憶されている認識用音声テンプレートとの比較を行う。　認識処理が終了すると、ステップ１０６にて認識結果の良否を判定し、「ＯＫ」ならステップ１０７にて切替スイッチを作動させてハンズフリー部１３に通話を切り替え、ステップ１０７のハンズフリー通話に移行する。」（段落【００２５】〜【００３０】第３頁第４欄第３５行〜第４頁第５欄第３６行）
　
　以上の記載によれば、この引用例には以下のような発明（以下、「引用例発明」という。）が開示されていると認められる。
　
「自動車運転中など手が放せない状況下において、通話が必要な相手だけを選択して、手を使わずにハンズフリー通話に切り替えるため、相手先から電話がかかってくると着信中かどうか、受信した発信者電話番号があらかじめ登録されている登録電話番号のいずれかと一致するかどうかを確認し、発信者電話番号が前記登録電話番号のいずれかと一致しなければ、リンガの鳴動を続け、応答者の対応（ハンドセット部１４の受話器を上げたたかどうか）を待つ通常の通話処理を行い、発信者電話番号が前記登録電話番号のいずれかと一致すれば、応答者の応答音声によって切り替えスイッチを作動させてハンズフリー部１３に通話を切り替え、ハンズフリー通話に移行するように制御する制御部１５を備えた音声応答電話機。」
　
３．対　比
　本願発明と上記引用例発明とを対比する。
　引用例には、「特に、自動車を運転中にスイッチボタンを押さねばならないということは安全上問題がある。」（記載事項（イ）【発明が解決しようとする課題】）と記載されており、引用例発明の「音声応答電話機」及び「制御部１５」は、本願発明の「無線通信端末」及び「無線通信端末の着信制御装置」に相当するといえる。
　そして、引用例発明における「相手先から電話がかかってくると着信中かどうか、受信した発信者電話番号があらかじめ登録されている登録電話番号のいずれかと一致するかどうかを確認し」は、本願発明の「無線通信端末へ着信が起こったこと、発信者電話番号があらかじめ登録されている特定の電話番号であるか否かを識別し」に相当する。
　また、引用例発明の「ハンズフリー部１３」は、本願発明の「ハンズフリー装置」に相当する。
　引用例発明の「リンガの鳴動を続け、応答者の対応（ハンドセット部１４の受話器を上げたたかどうか）を待つ通常の通話処理」は、本願発明の「ハンドセット着信」に相当し、引用例発明の「切り替えスイッチを作動させてハンズフリー部１３に通話を切り替え、ハンズフリー通話に移行する」は、本願発明の「ハンズフリー着信」に相当するといえる。
　引用例発明は、「発信者電話番号が登録電話番号のいずれかと一致しなければ、リンガの鳴動を続け、応答者の対応（ハンドセット部１４の受話器を上げたたかどうか）を待つ通常の通話処理を行い、発信者電話番号が登録電話番号のいずれかと一致すれば、応答者の応答音声により切り替えスイッチを作動させてハンズフリー部１３に通話を切り替え、ハンズフリー通話に移行するように制御する」から、発信者電話番号があらかじめ登録されている特定の電話番号であるか否かを識別し、その識別に応じて、ハンズフリー装置がハンズフリー着信を実行するように制御するか、無線通信端末がハンドセット着信を実行するように制御するかを切り替える点で本願発明と対応している。
　
　したがって、両者は、
「無線通信端末へ着信が起こったこと、発信者電話番号があらかじめ登録されている特定の電話番号であるか否かを識別し、その識別に応じて、ハンズフリー装置がハンズフリー着信を実行するように制御するか、無線通信端末がハンドセット着信を実行するように制御するかを切り替えることを特徴とする無線通信端末の着信制御装置。」
で一致するものであり、次の点で相違している。
　
　本願発明は、「発信者電話番号があらかじめ登録されている特定の電話番号でない場合には、ハンズフリー装置がハンズフリー着信を実行するように制御し、発信者電話番号があらかじめ登録されている特定の電話番号である場合には、無線通信端末がハンドセット着信を実行するように制御する」のに対し、引用例発明は、発信者電話番号があらかじめ登録されている特定の電話番号でない場合には、無線通信端末がハンドセット着信を実行するように制御し、発信者電話番号があらかじめ登録されている特定の電話番号である場合には、応答者の応答音声によってハンズフリー装置がハンズフリー着信を実行するように制御する点。
　
４．当審の判断
　上記相違点について検討する。
　発信者電話番号があらかじめ登録されている特定の電話番号である場合に、留守番電話モードであっても、通常の電話モードで応答するように制御することは、本出願前周知（例えば、特開平１１−２３４３９５号公報、特開昭６１−１０９３５８号公報（第４頁左上欄第７行〜右上欄第２行、第４図の記載）参照）である。
　したがって、発信者電話番号があらかじめ登録されている特定の電話番号である場合に、それに応じて通常の着信応答（ハンドセット着信）を実行するように制御することは、上記周知技術を考慮すれば容易になし得ることであり、引用例発明において、発信者電話番号があらかじめ登録されている特定の電話番号であるか否かの識別に応じて実行するハンズフリー着信、ハンドセット着信の関係を逆にすること、すなわち、発信者電話番号があらかじめ登録されている特定の電話番号でない場合には、ハンズフリー装置がハンズフリー着信を実行するように制御し、発信者電話番号があらかじめ登録されている特定の電話番号である場合には、無線通信端末がハンドセット着信を実行することは、当業者が必要に応じて適宜なし得る設計変更にすぎない。
　
　なお、本願明細書の段落【０００３】には、本願発明が「運転中における安全性を的確に確保することができ、一方、発信者電話番号がメモリダイヤルとして登録されている特定の電話番号であれば、例えば通話の内容が同乗者に聞かれてしまうことを未然に回避することができるなど、秘匿性を確保することができる無線通信端末」を提供することを目的とすることが記載されている。
　しかしながら、ハンズフリー装置を使用してハンズフリーで通話をするときに、音声がハンズフリー装置のスピーカーから出力されるので、自動車内に同乗者がいるときなど都合の悪い場合に、ハンズフリー通話を行わないようにするという課題は、本出願前周知（特開平８−１４０１２９号公報（段落【０００４】〜【０００７】の記載））、特開平１０−２０３２５７号公報（段落【０００２】〜【０００６】の記載））であり、上記の相違点に基づく本願発明の作用効果も、引用例記載の発明及び周知技術から、当業者であれば予想できる範囲内のものである。
　
５．むすび
　以上のとおり、本願請求項１に係る発明は、上記引用例に記載された発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。